(57)【要約】【課題】簡素な構成で鋳砂を含むワークから鋳砂を好適に落とすことのできる鋳砂落とし用ワーク支持構造及び鋳砂落とし用ワーク支持システムを提供する。【解決手段】鋳砂落とし用ワーク支持構造１０は、下側固定スプリング部４１を介して基台部２に接続された保持部本体２０と、上側固定スプリング部５１を介して保持部本体２０に接続され、かつ、ベース用自由スプリング部６１を介して基台部２に接続された支持部３０と、を備え、この支持部３０に支持されたワーク支持自由スプリング部７１の上端部にワークＷが載せられた状態で、下側固定スプリング部４１、上側固定スプリング部５１、ベース用自由スプリング部６１、及びワーク支持自由スプリング部７１がいずれも弾縮自在、又は伸長自在とされてなり、鋳砂落とし用ワーク支持システム１は、当該鋳砂落とし用ワーク支持構造１０を複数備えてなる。【選択図】図２
2022002858.tif 000002
【特許請求の範囲】
【請求項１】
所定の基台部に配設されるものであり、鋳砂を含むワークを支持する機能を有する鋳砂落とし用ワーク支持構造であって、
上下方向に配置されており、上端部でワークを支持するコイル状のワーク支持自由スプリング部と、
前記ワーク支持自由スプリング部を支持する支持部と、
前記支持部に配設される支持用弾性部と、
を具備し、
前記支持用弾性部が前記基台部と前記支持部との間に介在する状態で前記支持部が前記基台部に保持されており、
前記ワーク支持自由スプリング部の上端部にワークが載せられて鋳砂を落とすべく当該ワークが繰り返し打撃される状態で、前記ワーク支持自由スプリング部、及び前記支持用弾性部が、いずれも弾縮自在及び伸長自在とされてなる
ことを特徴とする鋳砂落とし用ワーク支持構造。
【請求項２】
前記ワーク支持自由スプリング部の上端部にワークが載せられて鋳砂を落とすべく当該ワークが繰り返し打撃される状態で、前記支持部が前記基台部に対して横方向に移動する範囲を規制する位置保持手段を備えている
請求項１に記載の鋳砂落とし用ワーク支持構造。
【請求項３】
前記位置保持手段は、
保持部本体と、
前記保持部本体と前記基台部との間に介在しているコイル状の第一固定スプリング部と、
前記保持部本体と前記支持部との間に介在しているコイル状の第二固定スプリング部と、
を具備し、
前記保持部本体は、前記第一固定スプリング部を介して前記基台部に接続されており、
前記支持部は、前記第二固定スプリング部を介して前記保持部本体に接続され、かつ、前記支持用弾性部を介して前記基台部に接続されており、
前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなる
請求項２に記載の鋳砂落とし用ワーク支持構造。
【請求項４】
所定の基台部と、
前記基台部に複数配設されるものであり、鋳砂を含むワークを支持する機能を有する鋳砂落とし用ワーク支持構造と、
を備える鋳砂落とし用ワーク支持システムであって、
前記鋳砂落とし用ワーク支持構造は、
上下方向に配置されており、上端部でワークを支持するコイル状のワーク支持自由スプリング部と、
前記ワーク支持自由スプリング部を支持する支持部と、
前記支持部に配設される支持用弾性部と、
を具備し、
前記支持用弾性部が前記基台部と前記支持部との間に介在する状態で前記支持部が前記基台部に保持されており、
前記ワーク支持自由スプリング部の上端部にワークが載せられた状態で、前記ワーク支持自由スプリング部、及び前記支持用弾性部が、いずれも弾縮自在及び伸長自在とされてなり、
また、前記ワーク支持自由スプリング部の上端部にワークが載せられた状態で前記支持部が前記基台部に対して横方向に移動する範囲を規制する位置保持手段を備え、
前記位置保持手段は、
保持部本体と、
前記保持部本体と前記基台部との間に介在しているコイル状の第一固定スプリング部と、
前記保持部本体と前記支持部との間に介在しているコイル状の第二固定スプリング部と、
を具備し、
前記保持部本体は、前記第一固定スプリング部を介して前記基台部に接続されており、
前記支持部は、前記第二固定スプリング部を介して前記保持部本体に接続され、かつ、前記支持用弾性部を介して前記基台部に接続されており、
前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなり、
各鋳砂落とし用ワーク支持構造に備えられた少なくともワーク支持自由スプリング部のばね定数が各々異ならせてなる
ことを特徴とする鋳砂落とし用ワーク支持システム。
【発明の詳細な説明】
【技術分野】
【０００１】
本発明は、ワークの鋳砂を落とす際に前記ワークを支持する鋳砂落とし用ワーク支持構造及び鋳砂落とし用ワーク支持システムに関する。
【背景技術】
【０００２】
従来、鋳造されたワークに衝撃を与えて鋳砂を落とす際には、ワークが載置されたテーブル部をコイルスプリング部等の弾性体によって支持することで、衝撃による振動を外部へ伝播させないようにしている。
【０００３】
また、例えば特許文献１には、鋳造製品が載置された枠体と、枠体に固定されており、鋳造製品の表面を打撃する打撃部と、枠体に固定されており、枠体を振動させる振動発生部と、を備えた中子砂除去装置が開示されている。当該中子砂除去装置にあっては、打撃部によって鋳造製品を打撃すると共に、振動発生部によって鋳造製品が載置された枠体を振動させている。
【先行技術文献】
【特許文献】
【０００４】
【特許文献１】特開２０１７−１９２９４９号公報
【発明の概要】
【発明が解決しようとする課題】
【０００５】
しかしながら、上記特許文献１の構成にあっては、ワークに衝撃を与える打撃部と、枠体を振動させる振動発生部とが必要であり、構造が複雑化して装置自体が大型化してしまう問題があった。また打撃部と振動発生部とを共に細かく制御する必要があり、制御管理が煩雑で汎用性に乏しいという問題もある。
【０００６】
本発明は、かかる現状に鑑みてなされたものであり、簡素な構成でワークから鋳砂を好適に落とすことのできる鋳砂落とし用ワーク支持構造を提供することを目的とする。
【０００７】
また本発明は、簡素な構成でワークから鋳砂を好適に落とすことのできる鋳砂落とし用ワーク支持システムを提供することを目的とする。
【課題を解決するための手段】
【０００８】
本発明は、所定の基台部に配設されるものであり、鋳砂を含むワークを支持する機能を有する鋳砂落とし用ワーク支持構造であって、上下方向に配置されており、上端部でワークを支持するコイル状のワーク支持自由スプリング部と、前記ワーク支持自由スプリング部を支持する支持部と、前記支持部に配設される支持用弾性部と、を具備し、前記支持用弾性部が前記基台部と前記支持部との間に介在する状態で前記支持部が前記基台部に保持されており、前記ワーク支持自由スプリング部の上端部にワークが載せられて鋳砂を落とすべく当該ワークが繰り返し打撃される状態で、前記ワーク支持自由スプリング部、及び前記支持用弾性部が、いずれも弾縮自在及び伸長自在とされてなることを特徴とする鋳砂落とし用ワーク支持構造である。
【０００９】
かかる構成にあっては、支持部が基台部に直接的に接続されているわけではなく、支持用弾性部を介して取り付けられているため、支持用弾性部が弾縮又は伸長することによって支持部の可動域が十分に確保されている。これによってワーク支持自由スプリング部は固定点を含まない状態で支持されることとなり、あたかも浮遊状態のごとく上下前後左右に自由な移動ができ、打撃工具によって打撃されているワークの振動を阻害しない。そして、ワーク支持自由スプリング部は、ワークが打撃される状態でしなりつつ揺らぎ、そのためワーク内の鋳砂が不規則に揺さぶられて、鋳砂がワークから好適に排出される。なお、本発明は、電気的に制御される構造を必要としないため、簡素な構成で構築される。
【００１０】
ここで、前記ワーク支持自由スプリング部の上端部にワークが載せられて鋳砂を落とすべく当該ワークが繰り返し打撃される状態で、前記支持部が前記基台部に対して横方向に移動する範囲を規制する位置保持手段を備えている構成が提案される。
【００１１】
かかる構成とすることにより、ワーク支持自由スプリング部の可動状態を確保しつつ、ワークを確実に支持することが可能となる。
【００１２】
また、前記位置保持手段は、保持部本体と、前記保持部本体と前記基台部との間に介在しているコイル状の第一固定スプリング部と、前記保持部本体と前記支持部との間に介在しているコイル状の第二固定スプリング部と、を具備し、前記保持部本体は、前記第一固定スプリング部を介して前記基台部に接続されており、前記支持部は、前記第二固定スプリング部を介して前記保持部本体に接続され、かつ、前記支持用弾性部を介して前記基台部に接続されており、前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなる構成が提案される。
【００１３】
かかる構成とすることにより、ワーク支持自由スプリング部を可動状態としつつ、ワーク支持自由スプリング部の移動範囲を所定範囲に規制することが可能となる。
【００１４】
また、本発明は、所定の基台部と、前記基台部に複数配設されるものであり、鋳砂を含むワークを支持する機能を有する鋳砂落とし用ワーク支持構造と、を備える鋳砂落とし用ワーク支持システムであって、前記鋳砂落とし用ワーク支持構造は、上下方向に配置されており、上端部でワークを支持するコイル状のワーク支持自由スプリング部と、前記ワーク支持自由スプリング部を支持する支持部と、前記支持部に配設される支持用弾性部と、を具備し、前記支持用弾性部が前記基台部と前記支持部との間に介在する状態で前記支持部が前記基台部に保持されており、前記ワーク支持自由スプリング部の上端部にワークが載せられた状態で、前記ワーク支持自由スプリング部、及び前記支持用弾性部が、いずれも弾縮自在及び伸長自在とされてなり、また、前記ワーク支持自由スプリング部の上端部にワークが載せられた状態で前記支持部が前記基台部に対して横方向に移動する範囲を規制する位置保持手段を備え、前記位置保持手段は、保持部本体と、前記保持部本体と前記基台部との間に介在しているコイル状の第一固定スプリング部と、前記保持部本体と前記支持部との間に介在しているコイル状の第二固定スプリング部と、を具備し、前記保持部本体は、前記第一固定スプリング部を介して前記基台部に接続されており、前記支持部は、前記第二固定スプリング部を介して前記保持部本体に接続され、かつ、前記支持用弾性部を介して前記基台部に接続されており、前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなり、各鋳砂落とし用ワーク支持構造に備えられた少なくともワーク支持自由スプリング部のばね定数が各々異ならせてなることを特徴とする鋳砂落とし用ワーク支持システムである。
【００１５】
かかる構成にあっては、ワークが支持されている状態でいわば積極的にアンバランスな状態が発生することとなり、前記ワークが複雑な振動をして鋳砂をより効率的に落とすことができる。
【発明の効果】
【００１６】
本発明は、簡素な構成で複雑な振動をワークに与えて効果的に鋳砂を落とすことができる優れた効果がある。
【図面の簡単な説明】
【００１７】
【図１】鋳砂落とし用ワーク支持システムの斜視図である。
【図２】鋳砂落とし用ワーク支持構造の概要を示す縦断面図である。
【図３】鋳砂落とし用ワーク支持構造の使用状態を示す縦断面図である。
【図４】打撃されるワーク内の状態を示す説明図である。
【発明を実施するための形態】
【００１８】
本発明の実施形態を、以下の実施例に従って説明する。
【００１９】
図１に示すように、鋳砂落とし用ワーク支持システム１は、所定の床面に設置されたテーブル形状の基台部２と、基台部２に配設された複数の鋳砂落とし用ワーク支持構造１０とを備えている。
【００２０】
鋳砂落とし用ワーク支持構造１０は、図２に示すように、基台部２に形成された貫通孔５に下部が挿通された杆状の保持部本体２０と、保持部本体２０の上部が挿通された筒形状の支持部３０と、を備えている。
【００２１】
さらに詳述すると、上下方向に配される保持部本体２０の下端部にはフランジ状の下側保持板部２１が形成されている。そして基台部２の下面と下側保持板部２１の上面との間にはコイル状の下側固定スプリング部４１が配されている。すなわち、保持部本体２０は、下側固定スプリング部４１を介して基台部２に接続されている。
【００２２】
また、保持部本体２０の上端部にはフランジ状の上側保持板部２２が形成されている。一方、支持部３０の内面には内側段部３１が形成されており、上側保持板部２２の下面と内側段部３１の上面との間には、保持部本体２０が挿通された状態でコイル状の上側固定スプリング部５１が配されている。すなわち、支持部３０は、上側固定スプリング部５１を介して保持部本体２０に接続されている。
【００２３】
さらに、支持部３０の外周面には外側に突出した外側段部３２が形成されている。そして基台部２の上面と外側段部３２の下面との間には、保持部本体２０が挿通された状態でコイル状のベース用自由スプリング部６１が配されている。すなわち、支持部３０は、ベース用自由スプリング部６１を介して基台部２にも接続されている。
【００２４】
そして、支持部３０の外側段部３２の上面でコイル状のワーク支持自由スプリング部７１が上向きに固定されている。なお、後述するように、このワーク支持自由スプリング部７１の上端部でワークＷが支持される。
【００２５】
また、基台部２の上面において、ベース用自由スプリング部６１の周囲には、規制壁部８１が環状に立設されている。これによりベース用自由スプリング部６１は、規制壁部８１を越えて横方向へ過剰に移動をすることを防止されている。
【００２６】
上述の鋳砂落とし用ワーク支持構造１０にあっては、打撃工具（図示省略）で打撃されるワークＷを支持するワーク支持自由スプリング部７１が、支持部３０に支持されている下端部も含めて全体的に自由度の高い移動及び変位を許容されている。すなわち、支持部３０が基台部２に直接配置されているのではなく、保持部本体２０、下側固定スプリング部４１、上側固定スプリング部５１、及びベース用自由スプリング部６１を介して基台部２に接続されており、上下方向のみならず横方向にも移動することができる。これにより、下端部が支持部３０に支持されているワーク支持自由スプリング部７１も上下方向のみならず横方向にもワーク支持自由スプリング部７１全体が移動することができる。例えば図３に示すように、ワークＷが横方向に移動した際にも、鋳砂落とし用ワーク支持構造１０が全体的にしなって揺れながら斜めに傾いて、ワーク支持自由スプリング部７１がワークＷをしっかりと支持し続けることができる。
【００２７】
また、ワーク支持自由スプリング部７１の移動及び変位の自由度が高いことにより、ワークＷが複雑な振動をすることが阻害されない。
【００２８】
このようにして、上下方向の振動だけでなく横方向の振動も大きく許容されているワークＷ内では、図４に示すように、打撃された状態で鋳砂Ｓが円を描くように動き回り、ワークＷに形成された空間１００に残留していた鋳砂Ｓが外部と連通する隙間部１０１から外部へ排出されやすくなる。これは単に上下方向や左右方向のみの衝撃が規則正しく与えられただけでは発生しないものであり、鋳砂Ｓの排出効率が従来のものと比べて飛躍的に向上する。なお、ベース用自由スプリング部６１と規制壁部８１が衝突することにより、ワークＷ内に適度な衝撃を付与することもでき、固化した鋳砂を崩す効果も得られる。また、ワークＷは、例えば自動車用エンジンの部品等であるところ、ワークＷがワーク支持自由スプリング部７１の上に載置される構成は、ワークＷを傷つけにくいという効果もある。また、ワークＷが各スプリング部４１，５１，６１，７１に支持される構成により、全体として静音効果も得られる。
【００２９】
また、図１に示す鋳砂落とし用ワーク支持システム１において、外周部にあたる鋳砂落とし用ワーク支持構造１０のワーク支持自由スプリング部７１の高さを、中央付近の鋳砂落とし用ワーク支持構造１０のワーク支持自由スプリング部７１の高さよりも高くしておくと、これらの上に載置されたワークＷが鋳砂落とし作業の際に鋳砂落とし用ワーク支持システム１から転落しにくくなる。また、ワークＷの形状ごとに特定の治具を準備する必要が無く、各鋳砂落とし用ワーク支持構造１０の上に様々な形状のワークＷを単に載置させるだけで良く、作業性も向上する。
【００３０】
また、ワーク支持自由スプリング部７１を含む各スプリング部のばね定数を各鋳砂落とし用ワーク支持構造１０ごとに異ならせることによって、異なる振動の周波数を発生させ、ワークＷに複雑な振動を付与することができ、鋳砂Ｓをさらに効率良く崩して排出させることができる。
【００３１】
これまでに述べた構成にあって、下側固定スプリング部４１により、本発明にかかる第一固定スプリング部が構成される。また、上側固定スプリング部５１により、本発明にかかる第二固定スプリング部が構成される。また、ベース用自由スプリング部６１により、本発明にかかる支持用弾性部が構成される。なお、支持用弾性部は、ベース用自由スプリング部６１に代えて他の弾性体で構成されてもよい。
【符号の説明】
【００３２】
１            鋳砂落とし用ワーク支持システム
２            基台部
５            貫通孔
１０          鋳砂落とし用ワーク支持構造
２０          保持部本体
２１          下側保持板部
２２          上側保持板部
３０          支持部
３１          内側段部
３２          外側段部
４１          下側固定スプリング部（第一固定スプリング部）
５１          上側固定スプリング部（第二固定スプリング部）
６１          ベース用自由スプリング部（支持用弾性部）
７１          ワーク支持自由スプリング部
８１          規制壁部
１００        空間
１０１        隙間部
Ｓ            鋳砂
Ｗ            ワーク
【図１】
2022002858.tif 000003
【図２】
2022002858.tif 000004
【図３】
2022002858.tif 000005
【図４】
2022002858.tif 000006
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
所定の基台部に配設されるものであり、鋳砂を含むワークを支持する機能を有する鋳砂落とし用ワーク支持構造であって、
圧縮方向が上下方向となるように配置されており、上端部でワークを支持するコイル状のワーク支持自由スプリング部と、
前記ワーク支持自由スプリング部の下端部を支持する支持部と、
前記支持部に配設される支持用弾性部と、
を具備し、
前記支持用弾性部が前記基台部と前記支持部との間に介在する状態で前記支持部が前記基台部に保持されており、
前記ワーク支持自由スプリング部の上端部にワークが載せられて鋳砂を落とすべく当該ワークが繰り返し打撃される状態で、前記ワーク支持自由スプリング部、及び前記支持用弾性部が、いずれも弾縮自在及び伸長自在とされてなる
ことを特徴とする鋳砂落とし用ワーク支持構造。
【請求項２】
前記ワーク支持自由スプリング部の上端部にワークが載せられて鋳砂を落とすべく当該ワークが繰り返し打撃される状態で、前記支持部が前記基台部に対して横方向に移動する範囲を規制する位置保持手段を備えている
請求項１に記載の鋳砂落とし用ワーク支持構造。
【請求項３】
前記位置保持手段は、
保持部本体と、
前記保持部本体と前記基台部との間に介在しているコイル状の第一固定スプリング部と、
前記保持部本体と前記支持部との間に介在しているコイル状の第二固定スプリング部と、
を具備し、
前記保持部本体は、前記第一固定スプリング部を介して前記基台部に接続されており、
前記支持部は、前記第二固定スプリング部を介して前記保持部本体に接続され、かつ、前記支持用弾性部を介して前記基台部に接続されており、
前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなる
請求項２に記載の鋳砂落とし用ワーク支持構造。
【請求項４】
所定の基台部と、
前記基台部に複数配設されるものであり、鋳砂を含むワークを支持する機能を有する鋳砂落とし用ワーク支持構造と、
を備える鋳砂落とし用ワーク支持システムであって、
前記鋳砂落とし用ワーク支持構造は、
圧縮方向が上下方向となるように配置されており、上端部でワークを支持するコイル状のワーク支持自由スプリング部と、
前記ワーク支持自由スプリング部の下端部を支持する支持部と、
前記支持部に配設される支持用弾性部と、
を具備し、
前記支持用弾性部が前記基台部と前記支持部との間に介在する状態で前記支持部が前記基台部に保持されており、
前記ワーク支持自由スプリング部の上端部にワークが載せられた状態で、前記ワーク支持自由スプリング部、及び前記支持用弾性部が、いずれも弾縮自在及び伸長自在とされてなり、
また、前記ワーク支持自由スプリング部の上端部にワークが載せられた状態で前記支持部が前記基台部に対して横方向に移動する範囲を規制する位置保持手段を備え、
前記位置保持手段は、
保持部本体と、
前記保持部本体と前記基台部との間に介在しているコイル状の第一固定スプリング部と、
前記保持部本体と前記支持部との間に介在しているコイル状の第二固定スプリング部と、
を具備し、
前記保持部本体は、前記第一固定スプリング部を介して前記基台部に接続されており、
前記支持部は、前記第二固定スプリング部を介して前記保持部本体に接続され、かつ、前記支持用弾性部を介して前記基台部に接続されており、
前記ワーク支持自由スプリング部の上端部にワークが載せられて鋳砂を落とすべく当該ワークが繰り返し打撃される状態で、前記第一固定スプリング部、及び前記第二固定スプリング部が、いずれも弾縮自在及び伸長自在とされてなり、
各鋳砂落とし用ワーク支持構造に備えられた少なくともワーク支持自由スプリング部のばね定数が各々異ならせてなる
ことを特徴とする鋳砂落とし用ワーク支持システム。